(57)【要約】【課題】多画面表示中において、ユーザに視聴は必要以上に妨げない範囲でいかなる映像を視聴中にも緊急放送の文字スーパーの見易さを向上させ、かつコストの低減を図ったデジタル放送受信装置を提供すること。【解決手段】ＯＯＢチューナ部１１８、ＯＯＢデコード部１１９が緊急放送を受信すると、画面制御部１１６が緊急放送情報取得手段１０５によって得られた情報を参照し、優先度が高い情報であれば、文字スーパーが重畳された側の画面を最大に拡大するようにアスペクトおよび縮尺率を主映像処理部１０８と副映像処理部１０９に設定し、映像合成部１１０にて多画面表示を行う。【選択図】図１
2007282082.tif 000002
【特許請求の範囲】
【請求項１】
映像、音声、データを受信する受信手段と、前記データより緊急性もしくは重要度の高い緊急放送情報を取得する緊急放送情報取得手段と、前記緊急放送情報より文字スーパーを生成する文字スーパー生成手段と、前記文字スーパーを前記受信映像に重ねて表示する重畳手段と、外部機器から入力された映像に前記受信映像を同一画面上に多画面表示する映像合成手段と、前記多画面表示される各画面のアスペクト比若しくは縮尺率を任意に変更する解像度変換手段と、前記緊急放送情報に基づいて前記多画面表示される映像のアスペクト比若しくは縮尺率を変更可能とする制御手段とを備えたデジタル放送受信装置。
【請求項２】
前記制御手段を、前記緊急放送情報に含まれる緊急度の高さの情報に基づき前記多画面表示される映像のアスペクト比若しくは縮尺率を変更可能とするように形成した、請求項１記載のデジタル放送受信装置。
【請求項３】
デジタル放送波の帯域外信号に重畳したデータを受信する第二の受信手段と、前記第二の受信手段より緊急性もしくは重要度の高い緊急放送情報を取得する第二の緊急放送情報取得手段とをさらに備え、前記制御手段は前記緊急放送情報に係るチャンネルを受像中であるか否かに関わらず制御するように形成した、請求項１および２記載のデジタル放送受信装置。
【請求項４】
受信した緊急放送情報を、受像画面に重ねて文字スーパーとして表示し、外部機器から入力された映像とともに同一画面上に多画面表示するデジタル放送受信装置の制御方法において、前記緊急方法情報は少なくとも識別番号、優先度、残り時間に係る情報とを有し、前記識別番号および優先度および残り時間に基づく判断処理を行うことによって、前期多画面表示される映像のアスペクト比若しくは縮尺率を変更する制御を行う事を特長とするデジタル放送受信装置の制御方法。
【発明の詳細な説明】
【技術分野】
【０００１】
本発明は、緊急放送に係る映像や文字情報を表示するデジタル放送受信装置に関するものである。
【背景技術】
【０００２】
デジタル放送は放送事業者がトランスポート・ストリーム（ＴＳ）に複数の番組に係る映像、音声、文字情報データを多重して放送し、これらを受信機が選択的に復調再生することで、任意のチャンネルの視聴や様々な情報の取得が可能となっている。
【０００３】
デジタル放送の特定を生かして提供されるサービスの一つとして、地震などの自然災害や重要性の高いニュース速報といった即応性の求められる情報を一斉に知らしめる緊急放送がある。従来のデジタル放送受信装置は、デジタル放送波から現在ユーザが視聴中の番組とは異なる共通の識別情報を持つ文字スーパー用データを取り出し、受像画面に重ねて表示される処理を行うことで、文字情報を画面表示して直ちにユーザに提示することができる（例えば、特許文献１参照）。
【０００４】
また、通常デジタル放送受信装置は一般に外部入力端子を備えており、ＤＶＤなどの外部接続機器の再生映像を画面上に表示することができる。ここで、緊急放送時にデジタル放送波から取り出した文字スーパーを外部入力映像に重ねて表示させる処理を行うことにより、ユーザが外部入力の映像を視聴中であっても文字情報を画面表示して直ちにユーザに提示することができる（例えば、特許文献２参照）。
【特許文献１】特開２００１−０４５４４４号公報
【特許文献２】特開２００３−２３００６８号公報
【発明の開示】
【発明が解決しようとする課題】
【０００５】
しかしなから、デジタル放送受信装置が外部入力映像を含む複数の映像を同一画面上に表示可能な多画面表示機能を有している場合、一般に多画面表示を行っている場合は受像映像が主画面に配置されている場合で画面全体の１／２〜３／４、とくに副画面に配置されている場合はそれ以下に表示領域が縮小されるため、前記従来の構成、例えば特許文献１の構成では、緊急放送時の文字スーパーを見易くするための手段として文字スーパーを構成するＯＳＤに背景色を設けて受像映像に合成する、若しくは受像映像に解像度変換処理を行って一定の割合で縮小して文字スーパーの表示領域との重なりを防ぐことはできるものの、文字スーパーが縮小された状態なので、見易さの点で課題を有していた。
【０００６】
また、同様に例えば特許文献２の構成では、ユーザが多画面表示にて主画面に受像中のデジタル放送のチャンネルの映像を表示し、副画面に外部入力映像を表示して視聴中の場合、文字スーパーを合成した後の映像を副画面に出画することになり、文字スーパーの表示が縮小されたままである事には変わらない。ここで、文字スーパーを構成するＯＳＤの出力部を映像出力から完全に独立させ、多画面合成処理部の後段にさらにＯＳＤ合成処理部を追加する構成とすることで解決する方法も考えられるが、文字スーパーを画面全体の適当な位置に表示させるための解像度変換部や表示位置調整部もさらに必要となり、デジタル受信装置の構成の複雑化やコストアップ要因となるという課題を有していた。
【０００７】
また、前記いずれの従来の構成において、例えばデジタルチューナがケーブルＴＶを受信中の場合は同一ＴＳ内つまり一般的には同一物理チャンネル内に存在する緊急放送用データのみしか取り出せず、緊急放送を送出していないチャンネルを受信中の場合は緊急放送の文字スーパーを画面表示できないため、即応性に課題を有していた。
【０００８】
本発明は、前記従来の課題を解決するもので、第１には多画面表示中における緊急放送の文字スーパーの見易さを向上させ、第２には多画面表示中におけるいかなる映像を視聴中にも緊急放送の文字スーパーの見易さを向上させるデジタル放送受信装置を提供することを目的とする。
【０００９】
そして第３には前記目的の実現においてコストの低減を図ったデジタル放送受信装置を提供することを目的とする。
【課題を解決するための手段】
【００１０】
上記のような目的を達成するために、本発明のデジタル放送受信装置は、緊急放送の文字スーパーを受像画面に重ねて表示する手段を有し、同一画面上に外部機器からの入力映像を含む多画面表示を行う手段を有し、各画面のアクペクト比若しくは縮尺比を任意に変更する解像度変換手段を有し、取得した緊急放送情報に基づいて文字スーパーを重畳した画面のアスペクト比若しくは縮尺率の制御を行う。
【００１１】
本構成によって、取得した緊急放送情報に基づいて文字スーパーを重畳した画面のアスペクト比若しくは縮尺率を制御して変更可能とすることで、緊急放送を受信した時に文字スーパーを自動的に拡大表示させることが最も主要な特徴となる。
【００１２】
また、本発明のデジタル放送受信装置は、デジタル放送波の帯域外信号に重畳したデータを受信して緊急放送情報を取得する手段を有し、帯域外信号から取得した緊急放送情報に基づいて文字スーパーを重畳した画面のアスペクト比若しくは縮尺率の制御を行う。
【００１３】
本構成は、帯域外信号から取得した緊急放送情報に基づいて文字スーパーを重畳した画面のアスペクト比若しくは縮尺率を制御して変更可能とすることで、緊急放送情報が送出されたＴＳを受信中であるか否かに拠らず、文字スーパーを自動的に拡大表示させるようにしたものである。
【発明の効果】
【００１４】
本発明のデジタル放送受信装置によれば、第１には緊急放送受信時の文字スーパーが多画面表示中特には副画面に縮小表示されている場合に当該画面のアスペクト比若しくは縮尺率を拡大することで緊急放送の文字スーパーの見易さを向上させ、かつそれは情報の優先度を判断してユーザの視聴を妨げない範囲で自動的に行われる
第２には常時取得が可能な帯域外信号より取得した緊急放送情報を利用することで、多画面表示中に緊急放送情報が取得できない状態、例えばユーザが緊急放送を送出していないチャンネルを視聴している場合、録画予約中であるために緊急放送を送出しているチャンネルへの切替えが出来ない場合のようにいかなる映像を視聴中にも緊急放送の文字スーパーを提示しかつ見易さを向上させることができる。
【００１５】
そして第３には緊急放送情報を取得して文字スーパーを受像画面に重ねて表示する手段ならびに帯域外信号に重畳されたデータを受信する手段はセットトップ・ボックス（ＳＴＢ）用に開発された１チップシステムＬＳＩと同じ構成とすることが可能であり、また、多画面表示手段ならびに各画面に対する解像度変換手段は一般的なテレビジョン受像機の画像処理と同じ構成とすることが可能であり、これらは各手段を制御するマイクロプロセッサのプログラムの追加によって実現することが可能であるため、デジタルチューナを内蔵したテレビジョン受像機のコスト低減を図ることができる。
【発明を実施するための最良の形態】
【００１６】
以下本発明を実施するための最良の形態について、図面を参照しながら説明する。
【００１７】
（実施の形態１）
図１は、本発明の実施の形態１におけるデジタル放送受信装置の構成を示すブロック図である。図１におけるデジタル放送受信装置は、デジタルケーブルテレビジョン放送受信装置であり、デジタルケーブルＥＡＳ（Ｅｍｅｒｇｅｎｃｙ  Ａｌｅｒｔ  Ｓｙｓｔｅｍ）の規格（Ｅｍｅｒｇｅｎｃｙ  Ａｌｅｒｔ  Ｍｅｓｓａｇｅ  ｆｏｒ  Ｃａｂｌｅ  Ｅｍｅｒｇｅｎｃｙ  Ｍｅｓｓａｇｅ  Ｓｔａｎｄａｒｄ）であるＥＩＡ／ＣＥＡ−８１４（ＥＩＡ：Ｅｌｅｃｔｒｏｎｉｃ  Ｉｎｄｕｓｔｒｉｅｓ  Ａｌｌｉａｎｃｅ  ＣＥＡ：Ｃｏｎｓｕｍｅｒ  Ｅｌｅｃｔｒｏｎｉｃｓ  Ａｓｓｏｃｉａｔｉｏｎ）に準拠した緊急放送を受信する。
【００１８】
図１において、デジタル放送波を含むＲＦ信号はケーブルテレビ局の送出端末であるＨｅａｄ  Ｅｎｄから送出される信号であり、チューナ部１０１に入力される。チューナ部１０１は、選択された周波数にて前記デジタル放送波の復調を行い、映像信号、音声信号、データ放送コンテンツが多重されたＴＳを取り出す。
【００１９】
多重分離部１０２は、ＴＳをＭＰＥＧ−２の映像、音声、データコンテンツの各ストリームに分離する。
【００２０】
ＡＶデコード部１０３は、実際には映像デコード部と音声デコード部とで形成され、選択された映像及び音声ストリームをデコードしそれぞれ映像信号と音声信号を出力する。
【００２１】
データデコード部１０４は、選択されたデータコンテンツストリームをデコードしデータコンテンツを出力する。どの映像、音声、データをデコードするかは、ＴＳに含まれるＰＡＴ／ＰＭＴ（Ｐｒｏｇｒａｍ  Ａｓｓｏｃｉａｔｉｏｎ  Ｔａｂｌｅ／Ｐｒｏｇｒａｍ  Ｍａｐ  Ｔａｂｌｅ）からなるＰＳＩ（Ｐｒｏｇｒａｍ  Ｓｐｅｃｉｆｉｃ  Ｉｎｆｏｒｍａｔｉｏｎ）より所定のチャンネルに対応するパケットＩＤ（ＰＩＤ）を持つものを選択することによって行われる。
【００２２】
また、ケーブルデジタル放送では、緊急放送時の文字スーパーや優先度合いの高さ、臨時の詳細放送チャンネルなどの緊急放送情報は映像、音声、優先度の低い通常のデータコンテンツとは別にユニークなＰＩＤを持ったストリームとしてＴＳに多重されている。ここで、ここでチューナ部１０１、多重分離部１０２、ＡＶデコード部１０３、データデコード部１０４は、映像、音声、データを受信する受信手段を構成する。緊急放送取得部１０５は、受信手段が受信したデータより緊急性もしくは重要度の高い緊急放送情報を取得する緊急放送情報取得手段であり、受信中の映像や音声と同一ＴＳ内であれば、ＰＳＩより緊急放送を示すＰＩＤを検出してデータデコード部１０４より緊急放送情報を取り出すことができる。
【００２３】
取り出した緊急放送情報のうち、文字スーパーデータは文字スーパー生成部１０６に供給され、文字列としてＯＳＤ表示データに変換され、ＧＵＩなどの表示も行う不図示のＯＳＤ表示部がＯＳＤ表示を行い、ＯＳＤ重畳部１０７は文字スーパーをＡＶデコード部１０３により出力された映像信号の上に重ねて表示する。この文字スーパー付きの映像信号は主映像処理部１０８に供給される。ここで、文字スーパー生成部１０６は、緊急放送情報より文字スーパーを生成する文字スーパー生成手段であり、ＯＳＤ重畳部１０７は、文字スーパーを受信映像に重ねて表示する重畳手段にである。これらは緊急放送情報に含まれる優先順位に従い他のＯＳＤと排他的に表示させるのであれば、サブタイトルや字幕などの優先度の低い通常のデータコンテンツを表示させる手段と共用することができる。
【００２４】
ＳＷ１１２は、外部入力端子１１４から入力された映像信号を選択してＡ／Ｄ変換部１１３に出力する。デジタル信号に変換された映像は副映像処理部１０９に供給される。
【００２５】
主映像処理部１０８および副映像処理部１０９は、それぞれインターレーススキャンをプログレッシブスキャンに変換するＩＰ（Ｉｎｔｅｒｒａｃｅ−Ｐｒｏｇｒｅｓｓｉｖｅ）変換処理および解像度変換処理の機能を有しており、不図示のフレームメモリに保持した映像データにこれら演算処理を施すことにより、映像のチラツキを無くすと共に主副各画面のアスペクト比若しくは縮尺率を任意に変更する事ができる。映像合成部１１０は、前記処理後の主および副の映像を多画面合成して表示する。主副入力映像の表示位置は、通常は画面上の左側に主映像を、右側に副映像を表示させるが、映像合成部１１０は主副映像の表示位置を入れ替える主副入れ替え機能を有している。ここで、主映像処理部１０８および副映像処理部１０９は、多画面表示される各画面のアスペクト比若しくは縮尺率を任意に変更する解像度変換手段であり、映像合成部１１０は外部機器から入力された映像に前記受信映像を同一画面上に多画面表示する映像合成手段に相当する。
【００２６】
モニタ部１１１は、プラズマディスプレイや液晶ディスプレイなどの表示デバイスであり、多画面合成された文字スーパー付きデジタル放送受信映像と外部入力映像を同一画面上に表示する。
【００２７】
操作部１１５は、リモコンやキーボードから入力されたユーザ操作に対する指示を各部に行い、画面制御部１１６は、マイクロプロセッサとメモリを含み、操作部１１５から受けたユーザ操作に従って主映像処理部１０８および副映像処理部１０９、映像合成部１１０の制御を行うことで主副画面のアスペクト比若しくは縮尺率を変更する。さらに、画面制御部１１６は、緊急放送情報取得部１０５からの情報を参照するようになっており、緊急放送時の文字スーパー表示の有無や優先度を判定し、ユーザの操作よりも優先される場合にこの情報に基づいて自動的に主副画面のアスペクト比若しくは縮尺率を変更する。ここで、画面制御部１１６は、緊急放送情報に基づいて前記多画面表示される映像のアスペクト比若しくは縮尺率を変更可能とする制御手段である。
【００２８】
図２は本発明の実施の形態１においてモニタ部１１１上の表示画面の一例を示す図である。外部入力映像で例えばＤＶＤで映画を視聴時、ユーザがリモコン等を操作して多画面表示を実行させると、操作部１１５からの指示を受け取って画面制御部１１６が主映像処理部１０８に対し、水平方向の表示サイズが画面全体の１／４でアスペクト比４：３の映像、副映像処理部１０９に対し、同表示サイズが画面全体の３／４でアスペクト比１６：９の映像を表示するよう指示を出す。
【００２９】
また、映像合成部１１０に対し、例えば主映像を画面の右側（副画面）に、副映像を画面の左側（主画面）に多画面表示するよう指示を出す。チューナ部１０１は直前に視聴していたデジタル放送のチャンネル例えばスポーツ中継放送を選局している。
【００３０】
この結果、モニタ部１１１の画面左側（主画面）に水平方向の表示サイズが画面全体の３／４でアスペクト比１６：９のＤＶＤの映像が、同右側（副画面）に水平方向の表示サイズが画面全体の１／４でアスペクト比４：３のデジタル放送の受像映像が表示される。
【００３１】
ここで、視聴中のデジタル放送のチャンネルを送出しているＴＳ上に緊急放送の送出が開始され、緊急放送情報取得部１０５が緊急放送情報の有無を検出し、且つ緊急放送に係る文字スーパーが存在している場合、文字スーパー生成部１０６がＯＳＤ表示用文字列を生成して、ＯＳＤ重畳部１０７より主力された文字スーパー付きの受像映像が主映像処理部１０８、映像合成部１１０の処理を経て出力される。そのとき、モニタ部１１１は図２（ａ）となる。
【００３２】
従来技術により構成されたデジタル放送受信装置においては図２（ａ）と同じ画面状態となり、文字スーパーが小さく見辛くなってしまう。そこで、本発明のデジタル受信装置の特徴部分である、緊急放送情報に基づいた画面の表示サイズ若しくはアスペクト比の制御処理を施すことにより、例えば、画面制御部１１６が、主映像処理部１０８に対し、表示サイズが画面全体の３／４でアスペクト比が１６：９の映像、副映像処理部１０９に対し、表示サイズが画面全体の１／４でアスペクト比４：３の映像を表示するよう指示を出す。また、映像合成部１１０に対し、主映像を画面右側（副画面）に、副映像を画面左側（主画面）に多画面表示するよう指示を出す。その結果、文字スーパー付きの受像映像が拡大されてモニタ部１１１の画面上に表示され、大幅に見易さを向上させる。そのとき、モニタ部１１１は図２（ｂ）となる。
【００３３】
次に、緊急放送情報に基づいた画面の表示サイズ若しくはアスペクト比の制御処理について説明する。図３は本発明によるデジタル放送受信装置が受信するＰＳＩデータの例を示す。Ｉｎ  Ｂａｎｄはデジタルケーブルテレビ放送の物理チャンネル毎に割り当てられた６ＭＨｚの伝送帯域の周波数を示し、映像や音声と共にＭＰＥＧ−２のＴＳに多重されているデータを表わす。ＯＯＢ（ｏｕｔ−ｏｆ−ｂａｎｄ）は全物理チャンネルの伝送帯域外の周波数に専ら多重されたデータを表わす。なお、このＯＯＢデータは本発明の実施の形態１では受信手段および取得手段を持たないので用いられず、後述する本発明の実施の形態３によるデジタル放送受信装置にて用いる。図３において、同一ＴＳ上に２つのチャンネルが運用されているとして、映像１はＰＩＤ＝０ｘ００１０、音声１はＰＩＤ＝０ｘ００１１、映像２はＰＩＤ＝０ｘ００２０、音声２はＰＩＤ＝０ｘ００２１であり、緊急放送用のデータストリームはＩｎ  ＢａｎｄがＰＩＤ＝０ｘ１ＦＦＢ、ＯＯＢがＰＩＤ＝０ｘ１ＦＦＣとユニークな値で定義されている。
【００３４】
ここで、図１において、多重分離部１０２がＰＳＩからＰＩＤ＝０ｘ１ＦＦＢを検出しデータデコード部１０４に緊急放送情報を含むデータパケットを出力すると、データデコード部１０４がＩｎ  Ｂａｎｄの緊急放送情報のデータを蓄積し、順次デコードする。緊急放送情報取得部１０５はデータデコード部１０４によってデコードされたデータより、図４に示す緊急放送情報テーブルを取得する。
【００３５】
図４の緊急放送情報テーブルは、緊急放送に係る情報として、シーケンス番号、優先度、メッセージテキスト、メッセージ残り時間、とを含む。シーケンス番号は発生した緊急メッセージの表示順序を定めるもので、放送局により発生順に付与される。優先度は０〜１５の値で、数値が高いほど重要度若しくは緊急度が高い情報を受信した事を表わしている。メッセージテキストは文字スーパーを表示するための文字列データである。メッセージ残り時間は現在受信中の緊急メッセージがあと何秒間有効かを示す。なお、この優先度は本発明の実施の形態１では画面制御部１１６の判断には用いず、後述する本発明の実施の形態２によるデジタル放送受信装置にて用いる。
【００３６】
図１において画面制御部１１６は、緊急放送情報取得部１０５が取得した、図４に示す緊急放送情報テーブルを参照する。シーケンス番号より新たなメッセージを受信したと判断した場合、文字スーパー生成部１０６が取得したメッセージテキストをＯＳＤ表示データに変換し、水平方向にスクロールして再描画する処理を行いながらＯＳＤ重畳部１０７に順次出力する。同時に画面制御部１１６は、主映像処理部１０８に対し、表示サイズが画面全体の３／４でアスペクト比が１６：９の映像、副映像処理部１０９に対し、表示サイズが画面全体の１／４でアスペクト比４：３の映像を表示するよう指示を出す。また、映像合成部１１０に対し、主映像を画面右側（副画面）に、副映像を画面左側（主画面）に多画面表示するよう指示を出す。これにより、緊急メッセージたる文字スーパーが受像中の放送映像に重なって水平方向にスクロールしながらモニタ部１１１の画面上に表示され、且つ、文字スーパー付きの映像は画面上に拡大して表示された図２（ｂ）の状態となり、ユーザは確実に緊急情報を見ることが出来る。
【００３７】
メッセージ残り時間を参照して残り時間が無くなったと判断した場合、画面制御部１１６は、緊急放送情報取得部１０５を経由して文字スーパー生成部１０６に対するメッセージテキストの生成の停止の指示を出し、主映像処理部１０８および副映像処理部１０９に対し、表示サイズを緊急メッセージ表示以前の状態に戻すよう指示を出す。これにより、緊急メッセージたる文字スーパーの表示がモニタ部１１１の画面上から消えると共に、多画面表示された主副映像の画面の表示サイズとアスペクト比は自動的に元に戻された図２（ａ）の状態となり、ユーザはＤＶＤの映画をメインに視聴する。
【００３８】
このように本発明の構成によれば、本発明の第１の効果であるところの、多画面表示中における緊急放送の文字スーパーの見易さの上が実現できる事を示している。
【００３９】
なお、本実施の形態において、モニタ部１１１上の画面表示はデジタル放送受像と外部入力映像の画面をそれぞれ右側と左側に配置したＰｏｕｔＰ（ｐｉｃｔｕｒｅ−ｏｕｔ−ｏｆ−ｐｉｃｔｕｒｅ）表示を行う場合を示したが、ＰｉｎＰ（ｐｉｃｔｕｒｅ−ｉｎ−ｐｉｃｔｕｒｅ）など他の多画面表示を行う場合においても本発明の適用を妨げない。
【００４０】
なお、図１は多重分離部１０２、ＡＶデコード部１０３、データデコード部１０４、緊急放送情報取得手段１０５、文字スーパー生成部１０６、ＯＳＤ重畳部１０７の各構成要素は、システムＬＳＩ１１７として同一モジュール上に実装されているものとして示している。映像合成部やモニタ部や画面制御部を持たないセットトップ・ボックス（ＳＴＢ）用に開発された１チップシステムＬＳＩをテレビジョン受像機のデジタルチューナ部に使うように設計することが可能である。また同様に、主映像処理部１０８、副映像処理部１０９、映像合成部１１０、画面制御部１１６は、一般的な多画面表示機能を有するテレビジョン受像機と同じ構成にて実装するものとして示している。本発明の構成によれば、これらの制御は画面制御部１１６のマイクロプロセッサのプログラムの追加によって実現することが可能であるため、本発明の第３の効果であるところの、デジタルチューナを内蔵したテレビジョン受像機のコスト低減を図ることが実現可能である事を示している。
【００４１】
（実施の形態２）
本発明の実施の形態２におけるデジタル放送受信装置の構成は図１と同一であるため、ブロック図における同じ構成要素の説明は省略する。本発明の実施の形態１におけるデジタル放送受信装置との差異は、前述のように、緊急放送情報取得部１０５が図４に示す緊急放送情報テーブルを取得した時、これに含まれる緊急放送情報の優先度を判断に加味して制御を行う点にある。取得した緊急メッセージが、ユーザの視聴を妨げる必要が無い優先度の低いものであると判断した場合、画面制御部１１６は、緊急放送情報取得部１０５を経由して文字スーパー生成部１０６に対するメッセージテキストの生成を行わないようにする。この場合、主映像処理部１０８および副映像処理部１０９に対する指示は行わない。あるいは現在表示中の緊急放送に係る文字スーパーがある場合、その停止の指示を出す。主映像処理部１０８および副映像処理部１０９に対し、表示サイズを緊急メッセージ表示以前の状態、つまり、図２（ａ）の表示サイズのままで維持するよう指示を出す。
【００４２】
ペイパービュー（ＰＰＶ）やコンディショナルアクセス（ＣＡ）にてユーザがケーブル会社と契約した番組を視聴または録画のために選局中である時がこのケースに相当する。
【００４３】
本発明の実施の形態１同様の効果であるが、放送運用規格で定めるユーザが優先すべき視聴形態を妨げない形で実装する事ができるので、より実用性を高めた形態と言える。
【００４４】
（実施の形態３）
本発明の実施の形態３におけるデジタル放送受信装置の構成を図５に示す。図１と同じ構成要素については同じ符号を用い、説明を省略する。図１に対する差異は、ＯＯＢデータを取得するために独立した第２のチューナ部とデコード部を持つ点にある。
【００４５】
ここで、ＯＯＢチューナ部１１８とＯＯＢデコード部１１９は、デジタル放送波の帯域外信号に重畳したデータを受信する第二の受信手段を構成する。ここでは第二の緊急放送情報取得手段に相当する構成要素が図示されていないが、図４の緊急放送情報テーブルはＩｎ  ＢａｎｄとＯＯＢで同じ送出フォーマットになるようＥＩＡ／ＣＥＡ−８１４の規格上定められているので、データデコード部１０４およびＯＯＢデータデコード部１１９が持つそれぞれのデータ蓄積用バッファ（図示せず）を順次読み出して処理を行うことで、緊急情報放送取得部１０５はＩｎ  ＢａｎｄとＯＯＢの両方に対応しているものとする。
【００４６】
前述のように、ＯＯＢデータは、Ｈｅａｄ  Ｅｎｄから受信したＲＦ信号に伝送帯域外の決められた周波数にて多重され、デジタル放送受信装置はＯＯＢチューナ部１１８により、第一の受信手段たるチューナ部１０１がいかなるチャンネルを選局中であるかに関わらず、常時ＯＯＢデータを受信することが可能である。
【００４７】
緊急情報放送取得部１０５が取得した情報に基づき多画面表示の画面のアスペクト比や縮尺率を変更する作用については、これまでに説明した本発明の実施の形態１や２と同一であるため、説明は省略する。
【００４８】
このように本構成によれば、本発明による第２の効果であるところの、多画面表示中に緊急放送情報が取得できない状態、例えばユーザが緊急放送を送出していないチャンネルを視聴している場合、録画予約中であるために緊急放送を送出しているチャンネルへの切替えが出来ない場合のようにいかなる映像を視聴中にも緊急放送の文字スーパーを提示しかつ見易さを向上させることができる。
【００４９】
次に、上記のように構成されたデジタル放送受信装置の動作フローについて説明する。図６〜図７は、図１および５に示すデジタル放送受信装置の動作フローを示す図である。始めに図６の動作フローから説明する。
【００５０】
図６は、本発明の実施の形態１乃至３におけるデジタル放送受信装置において、デジタル放送を含む多画面表示中に緊急放送情報を受信した場合の動作フローを示す図である。ここでは、本発明の特徴であるところの、緊急放送情報に応じたアスペクト比若しくは縮尺比の変更に係る動作の説明に重点を置くため、画面制御部１１６が処理する動作フローを用い、関連する不図示の他の制御部の動作を一部補足して説明する。
【００５１】
まず、前提条件として、ユーザによるリモコン等の操作によって操作部１１５が操作され、モニタ部１１１上に多画面表示を行うための操作である事を画面制御部１１６が認識し、主映像処理部１０８および副映像処理部１０９、映像合成部１１０の各部に対し、主画面のアスペクト比が１６：９で水平方向の縮尺率が画面全体の３／４、副画面のアスペクト比が４：３で水平方向の縮尺率が画面全体の１／４のＰｏｕｔＰ画面（文字スーパーを除いた図２（ａ）と同じ画面レイアウト）となるよう、制御を行ったものとする。
【００５２】
緊急放送を受信すると、緊急放送情報取得部１０５が緊急放送情報を取得し、図４の緊急放送情報テーブルを更新する。画面制御部１１６は、緊急放送情報テーブルの更新通知を受けて処理を開始し（ステップＳ１）、緊急放送情報テーブルのうち画面状態の制御に必要な情報を読み出す。まずシーケンス番号を参照し（ステップＳ２）、シーケンス番号の変化を検出することで緊急放送に係る新規メッセージが存在するかどうかを判断し（ステップＳ３）、新規メッセージが存在する場合はユーザ操作により設定された画面状態（主副各画面のアスペクトおよび縮尺率）をＲＡＭ上に保持する（ステップＳ４）。次に図２（ａ）のようにメッセージが表示されている側の画面（ここでは主映像、副画面）の表示サイズが最も大きくなるよう、アスペクトおよび縮尺率を計算して、主映像処理部１０８および副映像処理部１０９、映像合成部１１０の各部に対するパラメータ設定を、図２（ｂ）のように主映像である副画面のアスペクト比が１６：９で水平方向の縮尺率が画面全体の３／４、副映像である主画面のアスペクト比が４：３で水平方向の縮尺率が画面全体の１／４と行い（ステップＳ５）、処理を終了する（ステップＳ９）。
【００５３】
あるいはステップＳ３において、新規メッセージが存在しない場合は現在表示中のシーケンス番号のメッセージについてメッセージ残り時間を参照する（ステップＳ６）。ここで参照するメッセージ残り時間は、現在表示中のメッセージがあと何秒間有効であるかどうかの判断に使われ、緊急放送情報テーブルで指定された時間を初期値として別途文字スーパー生成部１０６が内部で管理を行っている値である。この残り時間が０秒になるまでの間、文字スーパー生成部１０６がメッセージを画面上にスクロール表示すると同時に、画面制御部１１６は現在の画面状態を維持し、０秒になると文字スーパー生成部１０６がメッセージの表示を中断すると同時に、画面制御部１１６は前記ステップＳ４で保持されていたアスペクトおよび縮尺率（ここでは図２（ａ）のように主映像である副画面のアスペクト１６：９で縮尺率３／４、副映像である主画面のアスペクト４：３で縮尺率１／４）になるよう主映像処理部１０８および副映像処理部１０９、映像合成部１１０の各部に対するパラメータ設定を行い（ステップＳ８）、処理を終了する（ステップＳ９）。
【００５４】
図６のフローを画面制御部１１６が実行するのは、緊急放送の中断や他のＴＳ上のチャンネルの選局など放送のＰＳＩに従うイベントにより緊急放送情報取得部からの通知を受けた場合に限らず、操作部１１５に対するユーザ操作による画面状態の切替え要求を受けた場合にも行われる。例えばユーザが別のデジタル放送チャンネルを選局してそのＴＳ上には緊急放送情報が送出されていない場合や、主副画面ともに外部入力を視聴中で何もデジタル放送のチャンネルが選局されていない場合などである。この場合も前記ステップＳ６からステップＳ８の処理が実行され、メッセージ残り時間が０秒になれば画面状態をステップＳ４で保持された状態に戻す。
【００５５】
上記の処理により、本実施の形態では、デジタル放送を含む多画面表示の視聴状態でチューナ部１０１が緊急放送を受信したとき、緊急放送に係る新規メッセージが存在する場合は、画面制御部１１６がアスペクトおよび縮尺率を計算して主映像処理部１０８および副映像処理部１０９、映像合成部１１０の各部に対するパラメータ設定を行うことで、モニタ部１１１上に、緊急放送メッセージたる文字スーパーを自動的に拡大表示させる事ができる。
【００５６】
また、メッセージ表示が終了した場合や、他のチャンネルや外部入力への選局により緊急放送情報が取得されなくなった場合は、直前にユーザ操作により設定されたアスペクトおよび縮尺率をもって、自動的に画面状態を戻して拡大表示を解除することができる。
【００５７】
この結果、緊急放送受信時の文字スーパーが多画面表示中に縮小表示されている場合に当該画面のアスペクト比若しくは縮尺率を自動的に拡大することで緊急放送の文字スーパーの見易さを向上させ、重要な緊急情報を確実にユーザに提供する事ができる。
【００５８】
続いて図７の動作フローを説明する。図７は、本発明の実施の形態２乃至３におけるデジタル放送受信装置において、デジタル放送を含む多画面表示中に緊急放送情報を受信した場合の動作フローを示す図である。図６の動作フローとの違いは、ステップＳ３で新規メッセージが存在する場合の処理が追加となり、緊急放送情報テーブルからさらに緊急メッセージの優先度を参照し（ステップＳ１０）、取得したメッセージがユーザにより直前に設定した画面状態を強制的に変更するに値する程の緊急性若しくは重要性があるかどうか、つまり、優先度が高いかを判断し（ステップＳ１１）、高い場合はステップＳ４に移行する。
【００５９】
あるいは画面状態を強制的に変更するに値する程の緊急性若しくは重要性がない、つまり、優先度が高くない場合、ステップＳ８に移行する。
【００６０】
なお、優先度は上０〜１５の間で送出する事が放送運用規定で予め定義されており、例えば優先度＝１１の場合、ユーザの視聴状態に関わらずメッセージを表示する事になっている。ちなみに試験電波は優先度＝０、ＣＡ（Ｃｏｎｄｉｔｉｏｎａｌ  Ａｃｃｅｓｓ）視聴時３、ＰＰＶ視聴時は７とされている。従って、ステップＳ１１の条件式としては、優先度＞１０とすれば良い。なぜなら、画面制御部の動作にとってＣＡやＰＰＶはあまり関係せず、逆にこれらの視聴状態ではメッセージ表示が抑制される事があるためで、こうすることで不用意に画面の状態を変更されることがなく、ユーザの視聴を妨げない。
【００６１】
上記の処理により、本実施の形態では、デジタル放送を含む多画面表示の視聴状態でチューナ部１０１が緊急放送を受信したとき、緊急放送に係る新規メッセージが存在する場合でかつその優先度が高い場合は、画面制御部１１６がアスペクトおよび縮尺率を計算して主映像処理部１０８および副映像処理部１０９、映像合成部１１０の各部に対するパラメータ設定を行うことで、メッセージの優先度が高い場合はモニタ部１１１上に、緊急放送メッセージたる文字スーパーを自動的に拡大表示させる事ができる。
【００６２】
この結果、緊急放送受信時の文字スーパーが多画面表示中に縮小表示されている場合に当該画面のアスペクト比若しくは縮尺率を自動的に拡大することで緊急放送の文字スーパーの見易さを向上させ、重要な緊急情報を確実にユーザに提供する事ができるとともに、情報の緊急度や重要度や判断し、必要以上にユーザの視聴を妨げることの無い好適な視聴環境を提供することができる。
【００６３】
最後に図５に示すデジタル放送受信装置においては、画面制御部１１６から見た動作は図１の場合と同じなので動作フローは省略するが、ケーブルＨｅａｄ  Ｅｎｄからの信号はＯＯＢチューナ部１１８に常時供給され、ＯＯＢデコード部１１９を通じて緊急放送情報取得手段１０５は常時緊急情報を取得することができる。
【００６４】
この結果、図１に示すデジタル放送受信装置により期待される効果に加え、緊急放送情報が取得できない状態、例えばユーザが緊急放送を送出していないチャンネルを視聴している場合、録画予約中であるために緊急放送を送出しているチャンネルへの切替えが出来ない場合、外部入力のみを視聴中も含めて効果があるので、より確実に緊急放送の文字スーパーの見易さを向上させ、重要な緊急情報をユーザに提供する事ができる。
【産業上の利用可能性】
【００６５】
本発明に係るデジタル放送受信装置は、多画面表示された状態でも緊急放送受信時に自動的に画面を拡大させることで緊急放送の文字スーパーの見易さを向上させ、かつそれはユーザの視聴を妨げない範囲で行われ、いかなる映像を視聴中にも緊急放送の文字スーパーを提示しかつ見易さを向上させることが可能で、これらの効果をプログラムの追加により実現することでコスト低減との両立が可能なので、緊急放送に係る映像や文字情報を表示するデジタル放送受信装置とりわけテレビジョン受像機として有用である。
【図面の簡単な説明】
【００６６】
【図１】本発明の実施の形態１および２におけるデジタル放送受信装置のブロック図
【図２】本発明の実施の形態１〜３におけるデジタル放送受信装置おける表示画面の一例を示す図であり、（ａ）従来技術の範囲内で動作を行った場合の図、（ｂ）緊急放送の文字スーパーが存在した主映像を拡大した場合の図
【図３】本発明の実施の形態１〜３におけるデジタル放送受信装置が受信するＰＳＩデータの例を示す図
【図４】本発明の実施の形態１〜３におけるデジタル放送受信装置が内部で管理する緊急放送情報テーブルの例を示す図
【図５】本発明の実施の形態３におけるデジタル放送受信装置のブロック図
【図６】本発明の実施の形態１乃至３におけるデジタル放送受信装置において、多画面表示中に緊急メッセージを受信した場合の動作フローを示す図
【図７】本発明の実施の形態２および３におけるデジタル放送受信装置において、多画面表示中に緊急メッセージを受信した場合の動作フローを示す図
【符号の説明】
【００６７】
１０１    チューナ部
１０２    多重分離部
１０３    ＡＶデコード部
１０４    データデコード部
１０５    緊急放送情報取得部
１０６    文字スーパー生成部
１０７    ＯＳＤ重畳部
１０８    主映像処理部
１０９    副映像処理部
１１０    映像合成部
１１１    モニタ部
１１２    ＳＷ
１１３    Ａ／Ｄ変換部
１１４    外部入力端子
１１５    操作部
１１６    画面制御部
１１７    システムＬＳＩ
１１８    ＯＯＢチューナ部
１１９    ＯＯＢデコード部
【図１】
2007282082.tif 000003
【図２】
2007282082.tif 000004
【図３】
2007282082.tif 000005
【図４】
2007282082.tif 000006
【図５】
2007282082.tif 000007
【図６】
2007282082.tif 000008
【図７】
2007282082.tif 000009